【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
側壁及び中央壁を規定する共通のベース及び
中央壁に備えられた１対のノズル、を有し、
前記ノズルと前記共通のベースは一体のシリコン部片で形成され；
各ノズルは軸の形状の第１部分を有し、前記軸により支持されるヘッドの形態の第２部分を有し、
前記軸は前記中央壁に備えられ、それぞれ、中央壁の排出開口と連通し、
前記ヘッドは本質的に中空円錐台状の形態で、患者の鼻の鼻腔内に入る狭い先端部分及び密封的に使用の際の鼻孔開口の縁の周辺領域に係合する相対的に広い部分を有し、
各前記軸は前記ヘッドの相対的に広い部分に関して減少された幅を有するクッション。
【請求項２】
前記中央壁が、前記軸を形成する壁部分に滑らかに移り変わる壁を有することを特徴とする請求項１に記載のクッション。
【請求項３】
前記クッションがさらにＣＯ２流出のための複数の開口を含む排出ポートを備えることを特徴とする請求項１に記載のクッション。
【請求項４】
各前記軸は、前記中央壁及び前記ヘッドの間で延在する砂時計形状を有することを特徴とする請求項１に記載のクッション。
【請求項５】
前記ベース側壁は使用の際に使用者の上唇に接触するためのより低い面を含むことを特徴とする請求項１に記載のクッション。
【請求項６】
前記より低い面は僅かに窪んだ形状を含むことを特徴とする請求項５に記載のクッション。
【請求項７】
前記クッションは、前記ノズルの開口に対して横断的に通る軸について非対称であることを特徴とする請求項１に記載のクッション。
【請求項８】
前記中央壁は、前記ノズルの間の翼角が７０〜１５５°の範囲にあるような形状の角度の半体を含むことを特徴とする請求項１に記載のクッション。
【請求項９】
前記翼角が約１３５〜１５５°の範囲にあることを特徴とする請求項８に記載のクッション。
【請求項１０】
前記翼角が約７０〜９０°の範囲にあることを特徴とする請求項８に記載のクッション。
【請求項１１】
各ノズルの開口は長軸及び短軸を有する楕円の形状であることを特徴とする請求項８に記載のクッション。
【請求項１２】
前記楕円の比が約０．７であることを特徴とする請求項１１に記載のクッション。
【請求項１３】
各ヘッドが長手方向軸を有し、前記ヘッドの対からの前記長手方向軸が集束して囲まれた角度が約３５°をなすことを特徴とする請求項１１に記載のクッション。
【請求項１４】
各ヘッドが
前記ヘッドの前記ベースの内側から、前記ヘッドの外側に向けて延在するボーダーにより囲まれる密閉領域を規定し、前記ボーダーが前記外側の前記ヘッドの高さの約半分に延在することを特徴とする請求項１に記載のクッション。
【請求項１５】
各ノズルの前記ヘッドの高さが約９ｍｍであることを特徴とする請求項１４に記載のクッション。
【請求項１６】
前記軸は、前記患者の鼻孔に対してバネ構造として作用するように設計されていることを特徴とする請求項１に記載のクッション。
【請求項１７】
使用の際、前記バネ構造は、前記使用者に密閉力を提供するための圧縮された気体を導入する前に予め組み込まれていることを特徴とする請求項１６に記載のクッション。
【請求項１８】
前記ノズルは、使用の際、前記使用者の鼻の近く又は僅かに接触するような位置に置かれることを特徴とする請求項１に記載のクッション。
【請求項１９】
前記軸の側壁及びヘッドが窪んでいることを特徴とする請求項１に記載のクッション。
【請求項２０】
前記ベースの前壁が、使用者の鼻のすぐ裏側に接触するように設計され、合力が、使用の際に、前記使用者の前記眼及び前記耳の間で、前記すぐ裏側から前記使用者の頭の後ろ部分に伸びる線に沿って向けられることを特徴とする請求項１に記載のクッション。
【請求項２１】
前記中央壁は、患者の隔膜を収容するように形作られていることを特徴とする請求項１に記載のクッション。
【請求項２２】
前記ベースは可視インジケータを含み、前記可視インジケータが前記可視インジケータに近接して備えられる参照インジケータと選択的に一致されることができることを特徴とする請求項１に記載のクッション。
【請求項２３】
側壁および中央壁を規定する共通ベース、及び
前記中央壁に備えられる一対のノズル、を有し、
各ノズルが前記中央壁から延在する第１端及びほぼ円錐台の形状で中空の構造を有するヘッド部の形態の第２部分を支持する第２端を有する中空の軸の形状の第１部分を有し、ここで圧縮された気体は、使用の際に前記患者の鼻孔開口に送るために、前記中央壁の内側から前記軸を通り前記ヘッド部分の開口に移動しうることができ；
各軸が断面において前記中央壁から前記ヘッド部分に延在する単一の窪んだ壁のみを有することを特徴とするクッション。
【請求項２４】
前記壁が、前記第１端から前記第２端まで連続的に窪んでいることを特徴とする請求項２３に記載のクッション。
【請求項２５】
前記クッションがさらにＣＯ２流出のための複数の開口を含む排出ポートを備えることを特徴とする請求項１に記載のクッション。
【請求項２６】
前記ベース及び前記一対のノズルが１片のシリコンエラストマーを含むことを特徴とする請求項２３に記載のクッション。
【請求項２７】
前記ベース側壁は使用の際に使用者の上唇に接触するためのより低い面を含むことを特徴とする請求項２３に記載のクッション。
【請求項２８】
前記より低い面は僅かに窪んだ形状を含むことを特徴とする請求項２７に記載のクッション。
【請求項２９】
前記クッションは、前記ノズルの開口に対して横断的に通る軸について非対称であることを特徴とする請求項２３に記載のクッション。
【請求項３０】
前記中央壁は、前記ノズルの間の翼角が７０〜１５５°の範囲にあるような形状の角度の半体を含むことを特徴とする請求項２３に記載のクッション。
【請求項３１】
前記翼角が約１３５〜１５５°の範囲にあることを特徴とする請求項３０に記載のクッション。
【請求項３２】
前記翼角が約７０〜９０°の範囲にあることを特徴とする請求項３０に記載のクッション。
【請求項３３】
各ヘッド部分の開口が長軸及び短軸を有する楕円の形状であることを特徴とする請求項２３に記載のクッション。
【請求項３４】
前記楕円の比が約０．７であることを特徴とする請求項３３に記載のクッション。
【請求項３５】
各ノズルが長手方向軸を有し、前記ヘッドの対からの前記長手方向軸が集束して囲まれた角度が約３５°をなすことを特徴とする請求項３３に記載のクッション。
【請求項３６】
前記軸が、前記ヘッド部分に比べて減少した断面領域であることを特徴とする請求項２３に記載のクッション。
【請求項３７】
前記ヘッド部分が鼻孔の裏側で密閉するための１つの部分と、使用の際に前記使用者の前記鼻道に入るための別の部分を有することを特徴とする請求項２６に記載のクッション。
【請求項３８】
前記軸は、バネ構造として作用するように設計されていることを特徴とする請求項２３に記載のクッション。
【請求項３９】
使用の際、前記バネ構造は、前記使用者に密閉力を提供するための圧縮された気体を導入する前に予め組み込まれていることを特徴とする請求項３８に記載のクッション。
【請求項４０】
前記ベースの前壁が、使用者の鼻のすぐ裏側に接触するように設計され、合力が、使用の際に、前記使用者の前記眼及び前記耳の間で、前記すぐ裏側から前記使用者の頭の後ろ部分に伸びる線に沿って向けられることを特徴とする請求項２３に記載のクッション。
【請求項４１】
前記ノズルは、使用の際、前記使用者の鼻の近く又は僅かに接触するような位置に置かれることを特徴とする請求項２３に記載のクッション。
【請求項４２】
各ヘッドは、前記ヘッドを対角的に延在するボーダーにより規定される密閉領域を含むことを特徴とする請求項２３に記載のクッション。
【請求項４３】
前記ヘッド部分の前記側壁は僅かに窪んでいることを特徴とする請求項２３に記載のクッション。
【請求項４４】
前記ベースは、患者の隔膜を収容するように形作られていることを特徴とする請求項２３に記載のクッション。
【請求項４５】
前記ベースは可視インジケータを含むことを特徴とする請求項２３に記載のクッション。
【請求項４６】
共通ベース；及び
前記ベースに備えられる一対のノズルを有し、各ノズルが、患者の鼻の鼻孔通路に入るために相対的に狭いチップ部分を有する中空円錐台の形態でヘッド部分及び使用の際に前記鼻孔開口の縁あたりの領域に密閉的に係合するための相対的に広い部分を含み、
前記ノズルのそれぞれが、前記共通ベースから前記ヘッド部分までに圧縮された気体の配送のための流体通路を規定するために、前記ベース及び前記ヘッド部分の間に延在する中空の軸を含み、
各前記ノズルが前記患者に密閉するための力の成分を印加するために弾性を有する構造であることを特徴とするクッション。
【請求項４７】
前記ベースは、前記軸がそこから延びる上部壁及び１以上の壁を含み、前記ベースは、前記患者に密封するための力の成分を印加するための弾性的な構造であること特徴とする請求項４６に記載のクッション。
【請求項４８】
前記上部壁は前記患者に密封するための力の成分を印加するための構造であることを特徴とする請求項４７に記載のクッション。
【請求項４９】
前記側壁は前記患者に密封するための力の成分を印加するための構造であることを特徴とする請求項４７に記載のクッション。
【請求項５０】
前記軸は、前記患者に密封するための力の成分を印加するための弾力的な構造であることを特徴とする請求項４６に記載のクッション。
【請求項５１】
前記ベースから前記患者に密封するための前記力の成分及びノズルが個別に調節可能であることを特徴とする請求項４６に記載のクッション。
【請求項５２】
前記ベース及び前記ノズルは、前記患者に密封するための力の異なる成分を提供するための構造であることを特徴とする請求項５１に記載のクッション。
【請求項５３】
前記ベース及び前記ノズルは、前記患者に密封するための力の本質的に同様な成分を提供するための構造であることを特徴とする請求項５１に記載のクッション。
【請求項５４】
前記ベースは、前記ノズルよりも堅いことを特徴とする請求項４６に記載のクッション。
【請求項５５】
各前記相対的に狭いチップ部分が開口を有していることを特徴とする請求項４６に記載のクッション。
【請求項５６】
各ノズルの前記軸は、その最も広い直径が、前記中空円錐台の前記ベース部分よりも少ない砂時計形状であることを特徴とする請求項４６に記載のクッション。
【請求項５７】
１片のシリコンノズル構造は
共通ベース部分及び
前記共通ベース部分から延在し、一体的に形成される一対のノズルを含み、前記一対のノズルは、使用の際に使用者の鼻の鼻道に密閉的に係合する構造であって、
ここで、前記一対のノズルの各々は、前記ベース部分に備えられるそれぞれ出口開口と連通する前記ベース部分と一体的に形成された第１部分、及び使用の際に使用者の鼻の鼻道に密閉的に係合するための一体的に前記第１部分と形成された第２部分を有し、
ここで
前記第２部分は、中空円錐台の形態であり、
前記第２部分は鼻腔の裏側で密閉するための１つの部分と、使用の際に前記使用者の前記鼻道に入るための別の部分、
前記第１部分は前記第２部分と比較して減少された幅を有し、
前記第１部分はバネ構造として作用するように設計されていることを特徴とするノズル構造。
【請求項５８】
前記ベース部分は、前記ノズルの間の翼角が７０〜１５５°の範囲にあるような形状であることを特徴とする請求項５７に記載のノズル構造。
【請求項５９】
各ノズルの開口は長軸及び短軸を有する楕円の形状であることを特徴とする請求項５７に記載のノズル構造。
【請求項６０】
前記ノズルの前記第１及び第２部分の側壁は窪んでいることを特徴とする請求項５７に記載のノズル構造。
【請求項６１】
前記ベースは可視インジケータを含むことを特徴とする請求項５７に記載のノズル構造。
【請求項６２】
各第１部分は、前記ベース部分に備えられる第１端、前記中空円錐台を支持するための第２端並びに前記第１及び第２端での気体通路の前記断面領域と比較して減少した断面領域の前記気体通路を規定する通常窪んだ中央壁を含むことを特徴とする請求項５７に記載のノズル構造。
【請求項６３】
各第２部分の長さは約９ｍｍであることを特徴とする請求項５７に記載のノズル構造。
【請求項６４】
各円錐台が、前記円錐台に渡る角で伸びる密閉領域を規定することを特徴とする請求項５７に記載のノズル構造。
【請求項６５】
前記密閉領域は、前記円錐台の高さの約半分の前記円錐台の逆側壁の点に向けて前記円錐台の前記ベースから延びるボーダーにより規定されることを特徴とする請求項５７に記載のノズル構造。
【請求項６６】
主本体及び前記主本体の各横側面上に設けた側部枠部材を有し、各側部枠部材が一体に形成された第１のコネクタ部分を備える枠と、
ガセットまたは底部部分及び１対のノズルを備え、使用中患者の鼻孔と密封係合するように構成した１対のノズルを備える前記枠の前記主本体と結合されるノズルアセンブリと、
患者による呼吸のために、呼吸可能な気体を前記枠及びノズルアセンブリ内へ移送するように構成した少なくとも１つの取入導管と、
前記枠の各第１のコネクタ部分に取り付けて設けた１対の第２のコネクタ部分と、
前記枠及び前記ノズルアセンブリを患者の顔上の所望の調節位置に維持するように、前記１対の第２の接続部分の少なくとも一方と取外し可能に接続されたヘッドギアアセンブリと、を備え、
前記ヘッドギアアセンブリは、前記ヘッドギアアセンブリに剛性を付加するための補剛材を備える、患者に呼吸可能な気体を移送するための鼻用アセンブリ。
【請求項６７】
主本体及び前記主本体の各横側面上に設けた側部枠部材を有し、各側部枠部材が一体に形成された第１のコネクタ部分を備える枠と、
ガセットまたは底部部分及び１対のノズルを備え、使用中患者の鼻孔と密封係合するように構成した１対のノズルを備える前記枠の前記主本体と結合されるノズルアセンブリと、
患者による呼吸のために、呼吸可能な気体を前記枠及びノズルアセンブリ内へ移送するように構成した少なくとも１つの取入導管と、
前記枠の各第１のコネクタ部分に取り付けて設けた１対の第２のコネクタ部分と、
前記枠及び前記ノズルアセンブリを患者の顔上の所望の調節位置に維持するように、前記１対の第２の接続部分の少なくとも一方と取外し可能に接続されたヘッドギアアセンブリと、を備え、
前記枠及びノズルアセンブリは、使用中前記患者に対して前記ノズルを調節するように、前記第２のコネクタ部分に対して回転自在である、患者に呼吸可能な気体を移送するための鼻用アセンブリ。